(57)【要約】      （修正有）【課題】建築物を造る際に床スラブの上下に貫通させて作るダメ穴から、上層階の雨水等が下層階へ流下することを防ぐ耐水処理装置を提供する。【解決手段】床スラブに上下に貫通するダメ穴１の下方に設置される雨水処理装置は、前記ダメ穴１から流下する雨水を受け止めるためのシートからなる雨水受け部２と、前記雨水受け部２で受けた雨水を排出するための筒状またはホース状の排水部３と、前記雨水受け部２を前記ダメ穴１の直下に吊り支持するための吊り装置４とからなっている。前記吊り装置４としては、インサートとフック状の吊り具６などを用いることができる。【選択図】図１
0003152272.tif 000002
【実用新案登録請求の範囲】
【請求項１】
床スラブに上下に貫通するダメ穴の下方に設置される雨水処理装置であって、前記ダメ穴から流下する雨水を受け止めるためのシートからなる雨水受け部と、前記雨水受け部で受けた雨水を排出するための筒状またはホース状の排水部と、前記雨水受け部を前記ダメ穴の直下に吊り支持するための吊り装置とからなることを特徴とする雨水処理装置。
【請求項２】
前記吊り装置は、前記ダメ穴外周部のスラブ下面に埋め込まれたインサートと、前記インサートに取り付けたフック状の吊り具とからなることを特徴とする請求項１記載の雨水処理装置。
【請求項３】
前記ダメ穴外周部のスラブ下面には、前記ダメ穴外周部に沿って水切り材が設けられていることを特徴とする請求項１または２記載の雨水処理装置。
【考案の詳細な説明】
【技術分野】
【０００１】
本考案は、建築物を造る際に床スラブの上下に貫通させて作るダメ穴から上層階の雨水等が流下することを防ぐ雨水処理装置に関するものである。
【背景技術】
【０００２】
一般に、建築物を建設する際、下層階で使用したコンクリート型枠や関連資材を上層階で流用したり、さらに解体後下層階へ搬出したりするための運搬用開口として、建築物の上下階を仕切る床スラブに「ダメ穴」と呼ばれる貫通孔を形成し、下層階と上層階との間での搬送を迅速に行なっている。
【０００３】
ダメ穴は、例えば３００ｍｍ×１５００ｍｍ程度の大きさの穴で、通常１つの階に１つ以上のダメ穴が設けられる。ダメ穴を使用しない時は、作業員の転落や建築資材の転落事故を防ぐため、ダメ穴にベニヤ等で蓋をして塞いでいる。
【０００４】
従来、上層階に流れ込んだ雨水等が、ダメ穴を伝って下層階に浸入するのを防ぐため、ダメ穴周囲に土手と呼ばれる段差を作ったり、ダメ穴周辺にパイプを配設したりして、対処している。しかし、前記土手は段差であるため、作業中の安全性に欠ける。またダメ穴を塞ぐため、コンクリートを打設して仕上げる際、前記土手の段差部分を削らなければならず、非常に手間がかかり、作業効率が悪くなる。
【０００５】
上述のようなダメ穴に関する先行技術文献として、例えば特許文献１〜３がある。
【０００６】
特許文献１は、ダメ穴部分をコンクリート打設後に熔断する際に発生する火の粉を養生するために、傘状をなし、中棒に開閉自在に設けられた骨に、上記火の粉を受けるための耐火シートを張設してなる養生治具である。。
【０００７】
特許文献２は、床スラブに上下に貫通して形成されたダメ穴の周囲を補強する穴補強部材であって、前記床スラブのスラブ筋に連結される補強部材本体と、この補強部材本体のほぼ中央部に形成され、前記貫通穴とほぼ同じ大きさか、若干大きい開口部とを備えた穴補強部材である。
【０００８】
特許文献３は、床スラブに貫通形成されたダメ穴を塞ぐものであり、所定形状の平坦部と、該平坦部の一方の面側に平行に設けられた複数本のリブ部とを備え、該リブ部は突条からなり、該平坦部の側縁部と該リブ部の両端部は圧潰されて該平坦部と重なり、該平坦部の端縁部と該リブ部との間は端部かかり代になっており、前記平坦部が矩形または台形をしているダメ穴を上部から塞ぐ仮蓋である。
【先行技術文献】
【特許文献】
【０００９】
【特許文献１】特開平０９−１７０３３４号公報
【特許文献２】特開２００１−１０７５０８号公報
【特許文献３】特開２００２−３５６９９９号公報
【考案の概要】
【考案が解決しようとする課題】
【００１０】
床スラブの上下に貫通させたダメ穴を設けることによって、上層階に吹き込んだ雨水等が下層階へと流れ込み、下層階の作業場が汚れてしまうことがある。作業場が汚れてしまうことによって、工事の仕上げにも時間がかかる。また作業場に雨水等が溜まると、作業しにくくなり、作業時間も増加してしまう。
【００１１】
さらに上層階から流れ落ちる雨水等によって、下層階に置いてある建設資材等が濡れてしまう可能性があり、建設資材等への配慮も必要となる。
【００１２】
上述のような課題を回避するために、従来ではダメ穴周囲に土手と呼ばれる段差を作り、その段差が堤防のような役目を果たし、上層階から下層階へ雨水等が流れ落ちるのを防いでいた。もしくは、ダメ穴周辺部に排水パイプを配設し、その排水パイプを伝って、上層階から下層階へ雨水等が流れ落ちるようにしている。
【００１３】
土手を作成する場合、ダメ穴周囲に段差を作成しなければならず、工事仕上げ時にはその段差を削らなければならないので、作業効率が非常に悪い。さらに、段差があるため、足元にも十分気をつけなければならず、作業場の安全性に欠ける。
【００１４】
一方、排水パイプを配設する場合、パイプ配設に関する設計や床スラブ打設時でのパイプ配設という工程が必要となり、さらに工事仕上げ時にパイプ部分を埋めなければならず、パイプを隠す作業にも手間がかかってしまう。
【００１５】
このように上層階から下層階へ流れ落ちる雨水等への対処を行なってきたが、いずれの方法も作業効率を低下させていると考えられる。
【００１６】
本考案は上述のような課題の解決を図ったのものであり、建築物の上層階から床スラブの上下に貫通するダメ穴を伝って、下層階へ浸入する雨水等を安価にかつ、容易に、効率良く処理することができる装置を提供することを目的としている。
【課題を解決するための手段】
【００１７】
請求項１に係る考案は、床スラブに上下に貫通するダメ穴の下方に設置される雨水処理装置であって、前記ダメ穴から流下する雨水を受け止めるためのシートからなる雨水受け部と、前記雨水受け部で受けた雨水を排出するための筒状またはホース状の排水部と、前記雨水受け部を前記ダメ穴の直下に吊り支持するための吊り装置とからなることを特徴とする雨水処理装置である。
【００１８】
前記吊り装置を設けることにより、ダメ穴の下方に雨水受け部を吊るすことができる。前記雨水受け部は上層階からダメ穴を伝って下層階へ浸入する雨水を受け、筒状またはホース状の排水部によって、前記雨水受け部に流下した雨水等を適所まで導いて流し込むことができる。
【００１９】
請求項２に係る考案は、請求項１に係る雨水処理装置において、前記吊り装置は、前記ダメ穴外周部のスラブ下面に埋め込まれたインサートと、前記インサートに取り付けたフック状の吊り具とからなることを特徴としている。
【００２０】
前記スラブ下面のダメ穴外周部にインサートを設け、前記インサートにフック状の吊り具を取り付け、前記吊り具を使用して、請求項１に係る雨水処理装置を吊り下げることができる。
【００２１】
前記インサートは、配電やその他の設備機器の設置等に用いられるインサートと同様に埋め込んでおくことができる。
【００２２】
請求項３に係る考案は、請求項１または２の雨水処理装置において、前記ダメ穴外周部のスラブ下面には、前記ダメ穴外周部に沿って水切り材が設けられていることを特徴としている。
【００２３】
前記水切り材は、前記スラブ下面の前記ダメ穴外周部に設けており、前記ダメ穴から浸入する雨水等が前記水切り材に当たることによって、前記雨水受け部に雨水等を流れ落とすことができる。前記水切り材を設けることにより、前記ダメ穴から浸入した雨水等が前記雨水受け部より広範囲に浸透することを防いでいる。
【考案の効果】
【００２４】
（１）雨水処理装置を設けることにより、上層階から下層階へ雨水等が流下せず、下層階が雨水等で汚れることが無くなる。
【００２５】
（２）雨水処理装置は上層階から下層階へ雨水等が流れ落ちることを防ぐため、ダメ穴周辺に土手や排水パイプ等を設ける必要がなくなり、作業の手間が減少する。故に作業効率が向上し、作業自体の軽減を図ることができる。
【００２６】
（３）雨水処理装置は軽くて運びやすく、取付け・取り外しが容易にできるため、下層階から上層階への盛り替えがしやすくなる。さらに必要であれば、現場毎に雨水処理装置を転用することもできる。
【００２７】
（４）請求項３に係る考案では、水切り材を設けることで、雨水等が天井を伝って広範囲に浸透することを防ぐ。
【図面の簡単な説明】
【００２８】
【図１】本考案に係る雨水処理装置の説明図の例である。
【図２】本考案に係る雨水処理装置を上から見た平面図の例である。
【図３】本考案に係る雨水処理装置を横から見た平面図の例である。
【考案を実施するための形態】
【００２９】
以下、図面に基づいて、本考案の実施の形態を詳細に説明する。
【実施例】
【００３０】
図１は、本考案に係る雨水処理装置をダメ穴下方に設置した時の例を示した説明図である。
【００３１】
雨水処理装置の一つの例として、雨水受け部２は四角い箱状のものを、排水部３は前記雨水受け部２から下方へ繋がるホース状のものを示した。吊り装置４は、前記皿状の雨水受け部２の長手方向を袋状に加工した部分に通した棒状体８、ダメ穴開口外周部の四隅に設けたインサート５に取付けたフック状の吊り具６であるＵ字型の寸切ボルトを使用し、前記ボルトをインサート５に取付け、前記棒状体８を前記ボルトに引っ掛けて吊るし、雨水処理装置を設置した例を示している。
【００３２】
前記雨水受け部２は、箱状の例を示したが、雨水等を受けることができる形状であれば皿状・お椀状等形状は問わない。材質は、例えば帆布製のシートあるいはビニールシート等で防水性を備えているものを用いるのが良い。帆布製のシートは丈夫であり、軽量かつ安価に製作することができる。
【００３３】
前記排水部３は、筒状やホース状のものなど、雨水等を流し込む形状であればよい。材質は、前記雨水受け部２と同様防水性を備えているものが好ましい。
【００３４】
前記吊り装置４は、インサート５と吊り具６としてＵ字型寸切ボルトを用いた例を示したが、前記雨水処理装置をダメ穴下方に吊るすことができるものであればよい。例えば他に鉄線やロープなどを用いることができる。
【００３５】
前記棒状体８は、前記雨水受け部２を吊り具６である前記ボルトに引っ掛けるために設けた例であるが、鉄筋等の棒状のものやリング等を使用して、前記雨水受け部２の重量に対する耐力を保てるものを用いて、雨水処理装置を吊るすようにする。
【００３６】
上述に示した例で作成した雨水処理装置は、容易に取付け・取り外しができ、重量も軽く、何度も繰り返し使えるので、転用性にも優れている。階ごとの盛り替えにも便利に用いることができ、必要であれば現場毎の流用も可能である。
【００３７】
図２は、本考案に係る雨水処理装置をダメ穴下方に設置した状態を上から見た時の平面図の例を示しており、図１の例と同様の雨水処理装置の形状の例である。
【００３８】
前記排水部３は、前記雨水受け部２の真ん中で接合した例を示しているが、前記雨水受け部２と確実に接合されていれば、接合場所はどこでもよい。
【００３９】
前記水切り材７は、前記ダメ穴１に沿った四角い額縁の形状を示しているが、前記水切り材７は前記ダメ穴１より外側で、前記雨水受け部２より内側に設けるようにする。材質は、例えば樹脂製や木製であるが、特に限定されない。また、コンクリート打設前に予め欠損材を取付け、凹形にして、水切目地とすることもできる。
【００４０】
図３は、本考案に係る雨水処理装置をダメ穴下方に設置した状態を横から見た時の平面図を示しており、図２と同様、図１と同じ雨水処理装置の例である。
【００４１】
前記水切り材７は、前記インサート５の手前に天井面から下方へ少し段差を設けたもので、上層階からダメ穴１を伝ってくる雨水等が前記水切り材７に当たることによって、雨水等が前記雨水受け部２へ落ち、前記排水部３へ流れ落ちる。前記水切り材７を設けることによって、前記雨水受け部２より広範囲まで雨水等が浸入することを防いでいる。
【００４２】
前記排水部３は、例えば長い筒状体を用いて、前記雨水受け部２との接合部から適切な場所まで筒状体を伸ばし、雨水等を適切な場所へと導くことができる。そのため、下層階のフロアが上層階から流れ込む雨水等で汚れることがなくなる。
【産業上の利用可能性】
【００４３】
以上に述べたように、本考案は建設現場の床スラブに設けたダメ穴下方に容易に取付け・取り外しができる雨水処理装置であり、今後現場での利便性を図ることができる。
【符号の説明】
【００４４】
１…ダメ穴
２…雨水受け部
３…排水部
４…吊り装置
５…インサート
６…吊り具
７…水切り材
８…棒状体
【図１】
0003152272.tif 000003
【図２】
0003152272.tif 000004
【図３】
0003152272.tif 000005